(57)【要約】【課題】誤挿入防止部材を設置することなく、コネクタに規格の異なるケーブル端子が誤挿入されることによる短絡に起因する不都合を回避できる電子機器を提供する。【解決手段】画像形成装置１００は、外部装置３０９と有線ＬＡＮ通信を行う有線ＬＡＮ通信部３０６と、外部装置３０９とＵＳＢ通信を行うＵＳＢ通信部３０８と、有線ＬＡＮ通信部３０６に電源を供給する有線ＬＡＮ通信電源部３０５と、有線ＬＡＮ通信電源部３０５を制御するＣＰＵ３００と、を備え、ＣＰＵ３００は、有線ＬＡＮ通信部３０６が使用されないと判断した場合、有線ＬＡＮ通信電源部３０５に対し、有線ＬＡＮ通信部３０６への給電を停止するよう制御する。【選択図】図４Ａ
2018094779.tif 000002
【特許請求の範囲】
【請求項１】
外部装置と通信を行うための複数種類の通信手段と、
前記複数種類の通信手段に対応し、それぞれ対応する通信用ケーブルが着脱可能に接続される複数の通信用コネクタと、
前記複数種類の通信手段にそれぞれ電源を供給する給電手段と、
前記給電手段を制御する制御手段と、
を備え、
前記制御手段は、前記複数種類の通信手段のうち特定の通信手段が使用されないと判断した場合、前記給電手段に対し、前記使用されないと判断された通信手段への給電を停止するよう制御することを特徴とする電子機器。
【請求項２】
前記複数種類の通信手段は、有線ＬＡＮ通信手段とＵＳＢ通信手段とを含み、
前記特定の通信手段は、前記有線ＬＡＮ通信手段であることを特徴とする請求項１記載の電子機器。
【請求項３】
前記複数の通信用コネクタは、有線ＬＡＮケーブル端子を接続する有線ＬＡＮ接続用コネクタと、ＵＳＢケーブル端子を接続するＵＳＢ接続用コネクタとを含み、
前記ＵＳＢ接続用コネクタに接続されるＵＳＢケーブル端子は、前記有線ＬＡＮ接続用コネクタに挿入可能であることを特徴とする請求項１又は２記載の電子機器。
【請求項４】
前記有線ＬＡＮ接続用コネクタは、ＩＳＯ８８７７規格に準拠するコネクタであり、前記ＵＳＢ接続用コネクタは、ＢタイプのＵＳＢ接続用コネクタあることを特徴とする請求項３記載の電子機器。
【請求項５】
前記制御手段は、ＩＰアドレスの自動取得設定が無効に設定され、かつＩＰアドレスに通信規格上予約されたアドレスが設定されている場合、前記有線ＬＡＮ通信手段が使用されないと判断することを特徴とする請求項２乃至４のいずれか１項に記載の電子機器。
【請求項６】
前記有線ＬＡＮ通信手段に対する設定又は設定の変更を受け入れる操作手段を備え、
前記ＩＰアドレスの自動取得を無効にする設定は、前記操作手段を介して指示されることを特徴とする請求項５記載の電子機器。
【請求項７】
前記複数種類の通信手段は、外部装置と無線ＬＡＮ通信を行う無線ＬＡＮ通信手段を含み、
前記制御手段は、前記無線ＬＡＮ通信手段の使用が設定されている場合、前記有線ＬＡＮ通信手段は使用されないと判断することを特徴とする請求項２乃至４のいずれか１項に記載の電子機器。
【請求項８】
前記無線ＬＡＮ通信手段に対する設定又は設定の変更を受け入れる操作手段を備え、
前記無線ＬＡＮ通信手段の使用を可能にするための設定は、前記操作手段を介して指示されることを特徴とする請求項７記載の電子機器。
【請求項９】
前記電子機器は、
転写材に画像を印刷する画像形成手段を備えた画像形成装置であることを特徴とする請求項１乃至８のいずれか１項に記載の電子機器。
【請求項１０】
外部装置と通信を行うための複数種類の通信手段と、
前記複数種類の通信手段に対応し、それぞれ対応する通信用ケーブルが着脱可能に接続される複数の通信用コネクタと、
前記複数種類の通信手段にそれぞれ電源を供給する給電手段と、
前記給電手段を制御する制御手段と、
を備えた電子機器の制御方法であって、
前記制御手段は、電子機器本体に電源が投入された際に前記複数種類の通信手段のうち特定の通信手段が使用されないと判断した場合、前記給電手段に対し、前記使用されないと判断された通信手段への給電を停止するよう制御することを特徴とする電子機器の制御方法。
【請求項１１】
前記複数種類の通信手段は、有線ＬＡＮ通信手段とＵＳＢ通信手段とを含み、
前記特定の通信手段は、前記有線ＬＡＮ通信手段であることを特徴とする請求項１０記載の電子機器の制御方法。
【請求項１２】
前記複数の通信用コネクタは、有線ＬＡＮケーブル端子を接続する有線ＬＡＮ接続用コネクタと、ＵＳＢケーブル端子を接続するＵＳＢ接続用コネクタとを含み、
前記ＵＳＢ接続用コネクタに接続されるＵＳＢケーブル端子は、前記有線ＬＡＮ接続用コネクタに挿入可能であることを特徴とする請求項１０又は１１記載の電子機器の制御方法。
【請求項１３】
コンピュータで読み取り可能な記憶媒体であって、請求項１０乃至１２のいずれか１項に記載の電子機器の制御方法が記憶されていることを特徴とする記憶媒体。
【発明の詳細な説明】
【技術分野】
【０００１】
本発明は、電子写真方式、静電記録方式等の画像形成装置をはじめとする複数種類の通信用コネクタを有する電子機器及びその制御方法、並びに記憶媒体に関する。
【背景技術】
【０００２】
近年の電子機器には、複数種類の通信規格に対応するために、複数の有線通信用のコネクタと無線通信機構が配設されたものがある。また、電子機器の設置等の観点から有線通信用のコネクタは、装置本体の背面に近接して設置されることが多い。このため、ユーザは電子機器の前面から背面のコネクタに通信ケーブルを手さぐりで挿入する機会が多くなり、しかも、コネクタが近接しているために通信規格のコネクタに誤って異なる規格の通信ケーブル端子を挿入する可能性が高まっている。
【０００３】
特に、有線ＬＡＮ接続用のコネクタは、ＵＳＢ（Ｂタイプ）ケーブル端子（以下、単に「ＵＳＢケーブル端子」という。）がちょうど挿入できるサイズである。そして、有線ＬＡＮ通信用のコネクタにＵＳＢケーブル端子が挿入されるとＵＳＢケーブル端子の接続部の外周の金属材と有線ＬＡＮ接続用のコネクタの内部にある端子が短絡し、有線ＬＡＮの制御回路に大きな電流が流れる恐れがある。
【０００４】
従って、電子機器を初期設置する際にケーブル端子の誤挿入により問題が発生しないことが要望されている。
【０００５】
これに対し、有線ＬＡＮ接続用のコネクタに樹脂製のＬ字型誤挿入防止部材を取り付け、ケーブル挿入部の長さの相違によりＵＳＢケーブル端子を挿入できないようにして短絡を防止する技術が提案されている（例えば、特許文献１）。
【先行技術文献】
【特許文献】
【０００６】
【特許文献１】特開２０１０−０７３６９７号公報
【発明の概要】
【発明が解決しようとする課題】
【０００７】
しかしながら、近年、電子機器の小型化に伴い、外部機器接続用コネクタ部の面積も狭小化される傾向にある。従って、上記従来技術（特許文献１）において、有線ＬＡＮ接続用コネクタへの誤挿入防止部材の装着が困難になっている。
【０００８】
本発明は、誤挿入防止部材を設置することなく、コネクタに規格の異なるケーブル端子が誤挿入されることによる短絡に起因する不都合を回避できる電子機器及びその制御方法、並びに記憶媒体を提供することを目的とする。
【課題を解決するための手段】
【０００９】
上記目的を達成するために、請求項１記載の電子機器は、外部装置と通信を行うための複数種類の通信手段と、前記複数種類の通信手段に対応し、それぞれ対応する通信用ケーブルが着脱可能に接続される複数の通信用コネクタと、前記複数種類の通信手段にそれぞれ電源を供給する給電手段と、前記給電手段を制御する制御手段と、を備え、前記制御手段は、前記複数種類の通信手段のうち特定の通信手段が使用されないと判断した場合、前記給電手段に対し、前記使用されないと判断された通信手段への給電を停止するよう制御することを特徴とする。
【発明の効果】
【００１０】
本発明によれば、複数種類の通信手段のうち特定の通信手段が使用されないと判断した場合、制御手段は、使用されないと判断された通信手段への給電を停止させる。これによって、ユーザによって特定の通信手段に対応する通信用コネクタに誤って規格の異なるケーブル端子が誤挿入されていて短絡したとしても特定の通信手段に大電流が流れるという不都合を回避することができる。
【図面の簡単な説明】
【００１１】
【図１】実施の形態に係る画像形成装置の概略構成を示す断面図である。
【図２】図１の画像形成装置のコネクタ配置を示す背面から見た斜視図である。
【図３】図１の画像形成装置の制御構成を示すブロック図である。
【図４Ａ】図１の画像形成装置で実行される印刷処理の手順を示すフローチャートである。
【図４Ｂ】図１の画像形成装置で実行される印刷処理の手順を示すフローチャートである。
【図５】図１の画像形成装置の操作部を示す模式図、及び操作部に表示される表示内容の一例を示す図である。
【発明を実施するための形態】
【００１２】
以下、実施の形態について図面を参照しつつ詳細に説明する。本実施の形態において、電子機器は、例えば、画像形成装置である。
【００１３】
図１は、実施の形態に係る画像形成装置の概略構成を示す断面図である。
【００１４】
図１において、画像形成装置１００は、給紙ユニットとしての給紙カセット１２０と、転写ユニット１４０と、定着ユニット１５０と、給紙カセット１２０に収容された転写材１１０を転写ユニット１４０等に搬送する搬送ユニット１８０を備えている。
【００１５】
転写ユニット１４０は、プロセスユニット１３０を備えている。プロセスユニット１３０は、感光ドラム、現像装置、帯電ローラ、感光ドラムクリーナー、レーザースキャナーユニットなどによって構成されている。定着ユニット１５０は、加熱ローラ及び加圧ローラを備えた定着装置で構成されている。給紙ユニットとしての給紙カセット１２０は、複数の転写材１１０を収容する。
【００１６】
搬送ユニット１８０は、給紙カセット１２０に収容された転写材１１０を転写ユニット１４０まで搬送する給紙搬送路１２５と、転写ユニット１４０から搬出された転写材１１０を定着ユニット１５０に搬入する定着搬送路１５２を有する。また、搬送ユニット１８０は、定着ユニット１５０から搬出された転写材１１０を排紙トレイ１９０に排紙する排紙搬送路１６０と、該排紙搬送路１６０から分岐され、転写材１１０を反転させた後、給紙搬送路１２５まで搬送する両面搬送路１７１を備えている。
【００１７】
給紙搬送路１２５は、給紙カセット１２０に収容された転写材１１０をピックアップするピックアップローラ１２１、搬送ローラ１２２、レジストレーションローラ（レジストローラ）１２３、及びその下流側に配置されたトップセンサ１２４を備えている。排紙搬送路１６０は、定着ユニット１５０の下流側に配置された定着排紙センサ１５１と、排紙搬送ローラ１６１及び１６２を備えている。両面搬送路１７１は、２つの両面搬送ローラ１８１及び１８２、並びに、両面搬送ローラ１８２の下流側に配置された両面搬送センサ１８３を備えている。
【００１８】
排紙搬送路１６０と両面搬送路１７１の分岐部には、搬送切替フラッパ１７０が設けられている。搬送切替フラッパ１７０は、転写材１１０の搬送先を排紙搬送路１６０及び両面搬送路１７１のいずれか一方に切り替える。両面搬送路１７１を含む搬送路全体は、両面ユニットと呼ばれることがある。
【００１９】
図２は、図１の画像形成装置のコネクタ配置を示す背面から見た斜視図である。画像形成装置１００の背面には外部装置との通信のために、多種の通信用コネクタが取り付けられている。
【００２０】
図２において、画像形成装置１００の背面には、有線ＬＡＮ接続用コネクタ２００と、ＵＳＢ（Ｂタイプ）ケーブル端子（以下、単に、「ＵＳＢのケーブル端子」という。）２０２接続用コネクタ２０１が、近接した位置に配置されている。有線ＬＡＮ接続用コネクタ（２００）は、ＩＳＯ８８７７規格に準拠するコネクタである。
【００２１】
画像形成装置１００は、通常、机の端部に、例えば、壁際に配置されるために、装置本体の裏面に配設されたＵＳＢケーブル端子接続用コネクタ２０１にＵＳＢケーブル端子２０２を接続する場合、画像形成装置１００の前面からの操作になる。従って、有線ＬＡＮ接続用コネクタ２００と、ＵＳＢケーブル端子接続用コネクタ（ＵＳＢ接続用コネクタ）２０１の位置を目視によって確認することは困難である。このため、ユーザが、通信用ケーブル端子であるＵＳＢケーブル端子２０２を有線ＬＡＮ接続用コネクタ２００に誤って挿入させることが起こり得る。有線ＬＡＮ接続用コネクタ２００には給電ラインが設けられている。そのため、有線ＬＡＮ通信用のコネクタにＵＳＢケーブル端子が挿入されるとＵＳＢケーブル端子の接続部の外周の金属材と有線ＬＡＮ接続用のコネクタの内部にある端子が短絡し、有線ＬＡＮの制御回路に大きな電流が流れる恐れがある。本発明は、かかるタイプの異なる接続端子の誤装着に起因して発生する不都合を回避するためになされたものである。
【００２２】
ＵＳＢケーブル端子２０２の断面寸法は、例えば、８．４５ｍｍ×７．７８ｍｍであり、例えば、断面寸法１１．９ｍｍ×８．５２ｍｍの有線ＬＡＮ接続用コネクタ２００に挿入可能（着脱可能）である。
【００２３】
次に、図１の画像形成装置１００の制御構成について説明する。
【００２４】
図３は、図１の画像形成装置１００の制御構成を示すブロック図である。
【００２５】
図３において、画像形成装置１００は、制御部としてＣＰＵ３００を備えている。ＣＰＵ３００は、ＲＯＭ３０１、ＲＡＭ３０２、不揮発性メモリ３０３、操作部３０４、有線ＬＡＮ通信電源部３０５、及び、画像形成部３１０とアドレスバス又はデータバスで接続されている。また、ＣＰＵ３００は、有線ＬＡＮ通信部３０６、無線ＬＡＮ通信部３０７、ＵＳＢ通信部３０８とそれぞれ接続されており、これらを介して外部装置３０９と接続される。
【００２６】
ＣＰＵ３００は、画像形成装置１００の全体を制御する。ＲＯＭ３０１は、ＣＰＵ３００で実行される制御内容が規定されたプログラムを格納する。ＣＰＵ３００は、ＲＯＭ３０１に格納されたデータを読み出し、画像形成装置全体を制御する。ＲＡＭ３０２は、ＣＰＵ３００が画像形成装置１００を制御する際、必要な作業領域として機能する。
【００２７】
不揮発性メモリ３０３は、ＣＰＵ３００が電源ＯＦＦ状態になっても設定された値を保持し続けることができるメモリである。ＣＰＵ３００は、不揮発性メモリ３０３に画像形成装置１００の各種設定値を保管し、画像形成装置１００の電源がＯＮされた際、不揮発性メモリ３０３からＲＡＭ３０２に各種設定値を読み出して使用する。
【００２８】
操作部３０４は、例えば、液晶ディスプレイ（ＬＣＤ）とスイッチとで構成されている。ＣＰＵ３００は、画像形成装置１００の状態に応じた画像及び文字列を操作部３０４に表示し、かつ操作部３０４を介してユーザから画像形成装置１００の各種設定及び設定変更情報等を受け取る。
【００２９】
有線ＬＡＮ通信電源部３０５は、有線ＬＡＮ通信部３０６に電源を供給する。ＣＰＵ３００は、有線ＬＡＮ通信電源部３０５に対し、有線ＬＡＮ通信部３０６への給電を指示する。ＣＰＵ３００から給電を指示された有線ＬＡＮ通信電源部３０５は、指示に基づいて有線ＬＡＮ通信部３０６に給電する。
【００３０】
また、ＣＰＵ３００は、有線ＬＡＮ通信電源部３０５の給電中に、有線ＬＡＮ通信部３０６に対して外部装置３０９と通信を行うように指示を出す。また、ＣＰＵ３００は、無線ＬＡＮ通信部３０７に対して外部装置３０９と通信を行うように指示し、ＵＳＢ通信部３０８に対して外部装置３０９と通信を行うように指示を出す。画像形成部３１０は、プロセスユニット１３０、転写ユニット１４０、定着ユニット１５０等により構成されており、ＣＰＵ３００の指示に基づいて転写材１１０表面に画像を形成する。
【００３１】
このような構成の画像形成装置１００において、ピックアップローラ１２１は、給紙カセット１２０に収容された転写材１１０を１枚ずつ給紙搬送路１２５に搬入する。給紙搬送路１２５に搬入された転写材１１０は、搬送ローラ１２２によって搬送され、回転停止状態のレジストレーションローラ（レジストローラ）１２３に当接して停止する。その後、所定のタイミングでレジストローラ１２３が回転し、転写材１１０は、転写ユニット１４０まで搬送される。このとき、トップセンサ１２４は、転写材１１０のピックアップ及び搬送が正常に行われたか否かを監視する。
【００３２】
一方、転写ユニット１４０に転写材１１０が到着するタイミングに合致するように、プロセスユニット１３０が、公知の電子写真方式によって感光ドラム上にトナー像を形成する。そして、感光ドラム上のトナー像は、公知の転写作用により転写材１１０に転写される。また、このとき、トップセンサ１２４が転写材１１０の先端の到達を監視し、転写材１１０が転写ユニット１４０に搬入されるタイミングに合わせてプロセスユニット１３０によってトナー像が形成されるタイミングが調整される。これによって、転写材１１０の適切な位置にトナー像が転写される。
【００３３】
トナー像が転写された転写材１１０は、定着ユニット１５０に搬入され、ここで、未定着画像が加熱、加圧されることによって転写材１１０に定着する。片面印刷である場合、画像が定着された転写材１１０は、定着ユニット１５０から排紙され、排紙搬送路１６０を経て排紙トレイ１９０に排紙される。このとき、搬送切替フラッパ１７０は、定着ユニット１５０から排紙された転写材１１０の搬送先を排紙搬送路１６０に切り換える。また、定着排紙センサ１５１は、転写材１１０が正常に搬送されたか否かを監視する。なお、片面印刷であるか否かは、例えば、後述する外部装置３０９から指示される。
【００３４】
一方、両面印刷である場合、排紙搬送路１６０に搬入された転写材１１０は、排紙搬送ローラ１６１、１６２の逆回転及び、搬送切替フラッパ１７０の切り替えによって両面搬送路１７１に搬入される。両面搬送路１７１に搬入された転写材１１０は、両面搬送ローラ１８１、１８２によって搬送され、反転して再度、給紙搬送路１２５に搬入される。
【００３５】
給紙搬送路１２５に再搬入された転写材１１０は、その後、上記と同様にしてレジストローラ１２３まで搬送される。このとき、両面搬送センサ１８３は、転写材１１０が正常に搬送されたか否かを監視する。その後、上述と同様にして転写材１１０の他方面に画像が形成される。表裏両面に画像が形成された転写材１１０は、定着搬送路１５２及び排紙搬送路１６０を経て排紙トレイ１９０上に排紙される。
【００３６】
次に、図１の画像形成装置１００で実行される印刷処理について説明する。
【００３７】
図４Ａ及び図４Ｂは、図１の画像形成装置１００で実行される印刷処理の手順を示すフローチャートである。この印刷処理は、画像形成装置１００のＣＰＵ３００がＲＯＭ３０１に格納された印刷プログラムに従って実行する。
【００３８】
印刷処理が開始される際、画像形成装置１００（装置本体）に電源が投入されると、ＣＰＵ３００は、まず、画像形成装置１００に対し、通常の初期化処理を行う（ステップＳ１０１）。次いで、ＣＰＵ３００は、有線ＬＡＮ通信部３０６の電源をＯＦＦにする（ステップＳ１０２）。有線ＬＡＮ通信部３０６の電源をＯＦＦにすることによって、画像形成装置１００に電源が投入される前に、例えば、有線ＬＡＮ接続用コネクタ２００にＵＳＢのケーブル端子が誤挿入されていた場合であっても短絡による不都合を回避することができる。すなわち、有線ＬＡＮ接続用コネクタ２００には、本来、有線ＬＡＮケーブル端子が装着されるが、誤装着によってＵＳＢケーブル端子が装着される場合がある。かかる場合、短絡によって有線ＬＡＮの制御回路がグランドに接続されるので、有線ＬＡＮの制御回路に印加された電圧に起因して当該有線ＬＡＮの制御回路に大電流が流れることがある。しかしながら、本実施の形態では、装置の起動時に、予め有線ＬＡＮ通信部３０６の電源がＯＦＦされるので、かかる不都合の発生を未然に回避することができる。なお、有線ＬＡＮの制御回路に大電流が流れた場合、当該有線ＬＡＮの制御回路は、損傷又は破損する恐れがある。
【００３９】
次いで、ＣＰＵ３００は、ＩＰアドレスを自動取得するために予め画像形成装置１００に設定されたＩＰアドレスの自動取得設定を不揮発性メモリ３０３からから読み出してＲＡＭ３０２にコピーする（ステップＳ１０３）。また、ＣＰＵ３００は、自動で取得したＩＰアドレスであるＩＰアドレス設定値を不揮発性メモリ３０３からから読み出してＲＡＭ３０２にコピーする（ステップＳ１０４）。次いで、ＣＰＵ３００は、予め画像形成装置１００に設定された無線ＬＡＮを有効にするか又は無効にするかの設定を不揮発性メモリ３０３から読み出してＲＡＭ３０２にコピーする（ステップＳ１０５）。
【００４０】
次いで、ＣＰＵ３００は、ユーザが操作部３０４を操作したことによる画像形成装置１００に対する設定の変更を確認する。
【００４１】
すなわち、ＣＰＵ３００は、ＩＰアドレスを自動取得するための設定が変更されたか否かを判定する（ステップＳ１０６）。
【００４２】
ここで、ユーザによって操作される操作部３０４及び操作部３０４に表示される表示内容について説明する。
【００４３】
図５は、図１の画像形成装置１００の操作部３０４を示す模式図、及び操作部３０４に表示される表示内容の一例を示す図である。
【００４４】
図５において、操作部３０４は、表示部として液晶ディスプレイ（ＬＣＤ）４００を備えている。また、操作部３０４は、操作スイッチ４０１、４０２、４０３、４０４、４０５、４０６を備えている。
【００４５】
ＬＣＤ４００は、ＣＰＵ３００からの指示に従って、例えば、文字列（ａ）、（ｂ）、（ｃ）又は図示省略した画像を表示する。各文字列は、ユーザに対して画像形成装置１００の状態、画像形成装置１００に設定された各種条件等の内容を表示する。
【００４６】
文字列（ａ）は、ＩＰアドレスを自動取得するための設定を無効から有効にした際にＬＣＤ４００に表示される文字列である。また、文字列（ｂ）は、ＩＰアドレスを取得した際にＬＣＤ４００に表示される文字列である。また、文字列（ｃ）は、無線ＬＡＮを有効又は無効にするための設定が変更された際にＬＣＤ４００に表示される文字列である。
【００４７】
操作スイッチ４０１は決定キー、操作スイッチ４０２はキャンセルキー、操作スイッチ４０３、４０４、４０５、４０６は、それぞれ上下左右キーである。ユーザは、これらの操作スイッチを操作することによって画像形成装置１００に対する指示を設定又は変更する。
【００４８】
図４Ａに戻り、ステップＳ１０６の判定の結果、ＩＰアドレスを自動取得するための設定が変更された場合（ステップＳ１０６で「ＹＥＳ」）、ＣＰＵ３００は、処理をステップＳ１０７に進める。すなわち、ＣＰＵ３００は、変更されたＩＰアドレスを自動取得するための設定をＲＡＭ３０２と不揮発性メモリ３０３に保管する（ステップＳ１０７）。そして、ＣＰＵ３００は、その後、処理をステップＳ１０８に進める。
【００４９】
一方、ステップＳ１０６の判定の結果、ＩＰアドレスを自動取得するための設定が変更されなかった場合（ステップＳ１０６で「ＮＯ」）、ＣＰＵ３００は、そのまま処理をステップＳ１０８に進める。
【００５０】
ステップＳ１０８において、ＣＰＵ３００は、予め取得していたＩＰアドレスが変更されたか否かを判定する（ステップＳ１０８）。ステップＳ１０８の判定の結果、ＩＰアドレスが変更された場合（ステップＳ１０８で「ＹＥＳ」）、ＣＰＵ３００は、変更後のＩＰアドレスをＲＡＭ３０２と不揮発性メモリ３０３に保管する（ステップＳ１０９）。そして、ＣＰＵ３００は、その後、処理をステップＳ１１０に進める。
【００５１】
一方、ステップＳ１０８の判定の結果、ＩＰアドレスが変更されなかった場合（ステップＳ１０８で「ＮＯ」）、ＣＰＵ３００は、そのまま処理をステップＳ１１０に進める。
【００５２】
ステップＳ１１０において、ＣＰＵ３００は、無線ＬＡＮを有効にするか無効にするかの設定が変更されたか否かを判定する（ステップＳ１１０）。ステップＳ１１０の判定の結果、無線ＬＡＮ有効／無効の設定が変更された場合（ステップＳ１１０で「ＹＥＳ」）、ＣＰＵ３００は、変更後の無線ＬＡＮ有効／無効の設定をＲＡＭ３０２と不揮発性メモリ３０３に保管する（ステップＳ１１１）。そして、ＣＰＵ３００は、その後、処理をステップＳ１１２に進める。一方、ステップＳ１１０の判定の結果、無線ＬＡＮ有効／無効の設定が変更されなかった場合（ステップＳ１１０で「ＮＯ」）、ＣＰＵ３００は、そのまま処理をステップＳ１１２に進める。
【００５３】
ステップＳ１１２において、ＣＰＵ３００は、無線ＬＡＮ通信が有効であるか否かを判定する（ステップＳ１１２）。ステップＳ１１２の判定の結果、無線ＬＡＮ通信が有効である場合（ステップＳ１１２で「ＹＥＳ」）、ＣＰＵ３００は、無線ＬＡＮが使用されるので有線ＬＡＮは使用されないと判断し、有線ＬＡＮ通信部の電源をＯＦＦにする（ステップＳ１１３）。そして、その後、ＣＰＵ３００は、処理を、後述するステップＳ１１７に進める。
【００５４】
一方、ステップＳ１１２の判定の結果、無線ＬＡＮ通信が有効でなかった場合（ステップＳ１１２で「ＮＯ」）、ＣＰＵ３００は、有線ＬＡＮに使用されるＩＰアドレスを自動取得するための設定が有効であるか否かを判定する（ステップＳ１１４）。ステップＳ１１４の判定の結果、ＩＰアドレスを自動取得するための設定が有効でない場合（ステップＳ１１４で「ＮＯ」）、ＣＰＵ３００は、ＩＰアドレスの設定が予約アドレスであるか否かを判定する（ステップＳ１１５）。予約アドレスとは、通信規格のＩＰｖ４であれば、例えば『０．０．０．０』（Ｃｕｒｒｅｎｔ  ｎｅｔｗｏｒｋ指定）や『２５５．２５５．２５５．２５５』（ブロードキャスト）等が該当し、特定の用途で使用されるアドレスである。
【００５５】
ステップＳ１１５の判定の結果、ＩＰアドレスの設定が予約アドレスであった場合（ステップＳ１１５で「ＹＥＳ」）、ＣＰＵ３００は、処理をステップＳ１１３に進め、有線ＬＡＮ通信部の電源をＯＦＦにする（ステップＳ１１３）。指定されたＩＰアドレスが通信規格上予約アドレスとして指定されていることから、無線ＬＡＮ通信のみならず有線ＬＡＮ通信も行うことができないので、有線ＬＡＮ通信は無効とみなされるからである。
【００５６】
一方、ステップＳ１１５の判定の結果、ＩＰアドレスの設定が予約アドレスでなかった場合（ステップＳ１１５で「ＮＯ」）、ＣＰＵ３００は、処理をステップＳ１１６に進める。この場合、ＩＰアドレスの設定が予約アドレスとなっていないので、有線ＬＡＮ通信を行うことは可能と考えられる。
【００５７】
一方、ステップＳ１１４の判定の結果、有線ＬＡＮに使用されるＩＰアドレスを自動取得するための設定が有効である場合（ステップＳ１１４で「ＹＥＳ」）、ＣＰＵ３００は、そのまま、処理をステップＳ１１６に進める。
【００５８】
ステップＳ１１６において、ＣＰＵ３００は、有線ＬＡＮ通信部の電源をＯＮにする。（ステップＳ１１６）。なお、通常、画像形成装置１００の工場出荷時には、ＩＰアドレスを自動取得するための設定は『無効』に、ＩＰアドレス設定値は『０．０．０．０』で初期化されている。
【００５９】
有線ＬＡＮ通信部の電源をＯＮにした（ステップＳ１１６）後、又は有線ＬＡＮ通信部の電源をＯＦＦにした（ステップＳ１１３）後、ＣＰＵ３００は、印刷ジョブがあるかを確認する（ステップＳ１１７）。ステップＳ１１７の判定の結果、印刷ジョブがある場合（ステップＳ１１７で「ＹＥＳ」）、ＣＰＵ３００は、無線ＬＡＮ通信又は有線ＬＡＮ通信により受信した印刷ジョブに基づく印刷を開始する（ステップＳ１１８）。
【００６０】
印刷を開始した後（ステップＳ１１８）、ＣＰＵ３００は、全ての印刷ジョブが終了したか否か判定する（ステップＳ１１９）。ステップＳ１１９の判定の結果、全ての印刷処理が終了していない場合（ステップＳ１１９で「ＮＯ」）、ＣＰＵ３００は、処理をステップＳ１１８に戻し、印刷処理を続行する。一方、ステップＳ１１９の判定の結果、全ての印刷ジョブが終了した場合（ステップＳ１１９で「ＹＥＳ」）、ＣＰＵ３００は、処理をステップＳ１２０に進める。また、ステップＳ１１７の判定の結果、印刷ジョブがない場合（ステップＳ１１７で「ＮＯ」）、ＣＰＵ３００は、処理をそのままステップＳ１２０に進める。
【００６１】
ステップＳ１２０において、ＣＰＵ３００は、ユーザに対して画像形成装置１００の電源をＯＦＦにするか否か問い合わせる（ステップＳ１２０）。ステップＳ１２０の問い合わせの結果、ユーザが画像形成装置１００の電源をＯＦＦにすることを選択した場合（ステップＳ１２０で「ＹＥＳ」）、ＣＰＵ３００は、本印刷処理を終了する。
【００６２】
一方、ステップＳ１２０の問い合わせの結果、ユーザが画像形成装置１００の電源をＯＦＦにすることを選択しなかった場合（ステップＳ１２０で「ＮＯ」）、ＣＰＵ３００は、処理をステップＳ１０６に戻す。すなわち、ＣＰＵ３００は、その後ＩＰアドレスを自動取得するための設定が変更されたかを判定し（ステップＳ１０６）、判定結果に基づいて、以下、上記と同様の処理を繰り返す。
【００６３】
図４Ａ及び図４Ｂの処理によれば、無線ＬＡＮ通信が有効であり、有線ＬＡＮ通信を行うことができない場合（ステップＳ１１２で「ＹＥＳ」）、ＣＰＵ３００は、有線ＬＡＮ通信部３０６の電源をＯＦＦにする（ステップＳ１１３）。また、ＣＰＵ３００は、ＩＰアドレスを自動取得するための設定が無効であり、かつＩＰアドレスに通信規格上予約されたアドレスが設定されている場合（ステップＳ１１５で「ＹＥＳ」）、有線ＬＡＮ通信部３０６の電源をＯＦＦにする（ステップＳ１１３）。
【００６４】
これによって、有線ＬＡＮの不使用時、有線ＬＡＮ接続用コネクタに誤ってＵＳＢケーブル端子が挿入されていた場合でも、有線ＬＡＮ通信部３０６がグランドに短絡されることによる不都合の発生を未然に防止することができる。すなわち、電源が投入された有線ＬＡＮ通信部３０６がグランドに接続されることに起因して当該有線ＬＡＮの回路に大電流が流れるという不都合を回避することができる。これによって、特別な誤挿入防止部材を設けることなく、有線ＬＡＮ接続用コネクタ２００にＵＳＢケーブル端子２０２が誤挿入されて短絡することによる有線ＬＡＮ通信部３０６の損傷を防止してユーザの利便性を向上させることができる。
【００６５】
本実施の形態において、電子機器を画像形成装置１００として説明したが、電子機器は、画像形成装置に限定されるものではない。すなわち、本実施の形態において、電子機器は、有線ＬＡＮ接続用コネクタ２００とＵＳＢケーブル端子接続用コネクタを備え、有線ＬＡＮ通信部３０６と、当該有線ＬＡＮ通信部３０６に電源を供給する有線ＬＡＮ通信電源部３０５を備えた電子装置であればよい。かかる電子機器として、画像形成装置の他、例えば、複合機（ＭＦＰ）、画像送信装置、画像読取装置、ファクシミリ等が挙げられる。
【００６６】
このような電子機器においても、電子機器本体に電源が投入され、有線ＬＡＮ通信部３０６が使用されないと判断された場合、有線ＬＡＮ通信電源部３０５は、有線ＬＡＮ通信部３０６への電源の供給を停止するよう制御される。
【００６７】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００６８】
この場合、記憶媒体から読み出されたプログラムコード自体が前述した実施の形態の機能を実現することになり、そのプログラムコード及び該プログラムコードを記憶した記憶媒体は本発明を構成することになる。
【００６９】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００７０】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００７１】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【符号の説明】
【００７２】
１００  画像形成装置（電子機器）
２００  有線ＬＡＮ接続用コネクタ
２０１  ＵＳＢ（Ｂタイプ）ケーブル端子接続用コネクタ
２０２  ＵＳＢ（Ｂタイプ）ケーブル端子
３００  ＣＰＵ
３０１  ＲＯＭ
３０２  ＲＡＭ
３０３  不揮発性メモリ
３０４  操作部
３０５  有線ＬＡＮ通信電源部
３０６  有線ＬＡＮ通信部
３０７  無線ＬＡＮ通信部
３０８  ＵＳＢ通信部
３０９  外部装置
【図１】
2018094779.tif 000003
【図２】
2018094779.tif 000004
【図３】
2018094779.tif 000005
【図４Ａ】
2018094779.tif 000006
【図４Ｂ】
2018094779.tif 000007
【図５】
2018094779.tif 000008